【事件の表示】
　特願２００６−３４０９３２「液晶装置及び電子機器」拒絶査定不服審判事件〔平成１９年　９月　６日出願公開、特開２００７−２２６２００〕について、次のとおり審決する。
【結　論】
　本件審判の請求は、成り立たない。
【理　由】
１　手続の経緯・本願発明
　本願は、平成１８年６月２８日（優先権主張平成１８年１月２６日）に出願した特願２００６−１７７８２９号の一部を平成１８年１２月１９日に新たな特許出願としたものであって、平成１９年７月１３日付け及び同年１１月２日付けで手続補正がなされたところ、平成２０年３月１２日付けで前記平成１９年１１月２日付けの手続補正が却下されるとともに同日付けで拒絶査定がなされ、これに対し、同年４月１６日に拒絶査定不服審判請求がなされるとともに同年５月１４日付けで手続補正がなされ、その後当審において平成２１年７月３日付けで前記平成２０年５月１４日付けの手続補正が却下されるとともに同日付けで拒絶理由が通知され、平成２１年９月３日付けで手続補正がなされたものである。
　
　そして、その請求項に係る発明は、平成２１年９月３日付け手続補正により補正された特許請求の範囲の請求項１〜５に記載された事項により特定されるものであると認められるところ、請求項１に係る発明は次のものである。
　
「共通電極と、スイッチング素子に接続された画素電極と、前記共通電極と前記画素電極との間に設けた絶縁膜を有し、
　前記画素電極と前記共通電極とが有効表示領域で平面的に重なっており、前記画素電極の上側に生じる電界、及び前記共通電極と前記画素電極との間で生じる電界によって液晶の配向を制御する液晶装置において、
　前記スイッチング素子の上側に設けられた平坦化膜を備え、
　前記平坦化膜の上側に前記共通電極が、前記共通電極の上側に前記絶縁膜が、及び前記絶縁膜の上側に前記画素電極が設けられ、
　前記画素電極を前記スイッチング素子に電気的に接続するコンタクトホールが前記平坦化膜に設けられ、
　前記平坦化膜は、前記コンタクトホール以外の前記有効表示領域では、その表面が平坦に形成され、
　前記共通電極は、前記有効表示領域と略同一の大きさに形成され、前記コンタクトホールに対応する位置に開口を有し、前記有効表示領域では、前記共通電極のみで電気的に接続され、前記開口以外は前記平坦膜の略一面に亘って平坦に形成され、
　前記画素電極は、前記開口以外は前記絶縁膜を介して前記共通電極の上側に平坦に形成され、
　前記画素電極及び前記共通電極と前記液晶を挟んで対向する対向基板を有し、前記対向基板は、前記コンタクトホールに対向する位置に遮光層を有することを特徴とする液晶装置。」（以下「本願発明」という。）
　
　
２　引用刊行物の記載事項
（１）引用刊行物
　本願の優先日前に頒布され、当審における拒絶の理由に引用された刊行物である特開２００１−３３０８４４号公報（以下「引用刊行物」という。）には、図とともに下記の事項が記載されている。
　
　ア　「【特許請求の範囲】
【請求項２】  第１基板と第２基板に挟持された液晶層と、前記第２基板の前記液晶層側の面に形成された走査信号線、画像信号線、第１電極、第２電極及びアクティブ素子を備え、前記第１電極と前記第２電極は前記液晶層に対し実質的に基板面と平行な電界が印加できるように構成された液晶装置において、前記第２電極は前記走査信号線、前記画像信号線、前記アクティブ素子を覆うように第１絶縁膜を介して液晶装置の表示エリアの概ね全域に形成され、かつ開口部を有し、前記第１電極は前記第２電極上に第２絶縁膜を介して各画素内に所定の線幅を有する線状で形成され、前記第２電極の開口部を介して前記第１電極と前記アクティブ素子は接続され、前記第１電極、前記第２電極のうち少なくとも１つは前記第１基板側から入射した光を反射させる反射電極であることを特徴とする液晶装置。
　・・・
【請求項１５】  前記第１絶縁膜は前記第２電極が鏡面となるように平坦化機能を有することを特徴とする請求項２記載の液晶装置。
【請求項１６】  前記第１電極は画素電極であり、前記第２電極は共通電極であることを特徴とする請求項１から請求項１５のいずれかに記載の液晶装置。」
　
　イ　「【０００１】
【発明の属する技術分野】本発明は液晶装置に係り、特に横電界を利用した液晶装置の構成及びこの液晶装置を用いた投射型表示装置と電子機器に関する。」
　
　ウ　「【０１０２】（第２実施形態）図２は本発明に係る液晶装置の第２実施形態の構造を示す概略図である。図２（ａ）は１画素の正面図、（ｂ）は断面図である。２枚の基板２０１、２０２の間に液晶層２０３を挟持した構造をとっている。上側基板２０１は内面には配向膜２０４が形成されている。下側基板２０２は、内側に走査信号線、画像信号線、ＴＦＴ素子２１０が形成され、さらにその上に第１絶縁膜２０９、共通電極２０７、第２絶縁膜２０８、画素電極２０６及び配向膜２０５が順次形成されている。共通電極２０７には開口部（コンタクトホール）２１２が設けてあり、ＴＦＴ素子２１０と画素電極２０６がコンタクトされている。画素電極２０６は線状の透明電極であり、共通電極２０７は概ね液晶パネルの表示エリア全域にわたって形成された（隣り合う画素を跨いで形成されている）反射電極である。
　・・・
【０１０４】第１絶縁膜２０９を所定の厚さで形成することによって、共通電極２０７の下層に配置されている走査信号線や画像信号線、ＴＦＴ素子２１０による段差を平坦化することができ、共通電極２０７を鏡面状態にすることができた。これによって、上基板２０１側からの入射光を効率よく高い反射率で再び上基板２０１側に反射させることができた。また、走査信号線や画像信号線、ＴＦＴ素子２１０による段差は液晶２０３の配向に悪影響を与え（審決注：「与える」の誤りと認める。）場合が多いが、第１絶縁膜２０９に平坦化膜の機能を付与したので、これを抑えることができた。」
　
　エ　上記ア及びウから、第１絶縁膜２０９は、走査信号線、画像信号線及びＴＦＴ素子２１０（アクティブ素子）を所定の厚さで覆うことによりそれらの段差を平坦化し、その上に形成される共通電極２０７（第２電極）を鏡面状態にする、といえる。
　
　オ　上記ア及びウ（【０１０２】）に照らして図２（ｂ）を見ると、画素電極２０６（第１電極）とＴＦＴ素子２１０（アクティブ素子）とは、共通電極２０７（第２電極）の開口部２１２を通り、第１絶縁膜２０９及び第２絶縁膜２０８に設けられたコンタクトホールを介して接続されること、が見て取れる。
　
　よって、これらの記載を総合すると、引用刊行物には、次の発明（以下「引用発明」という。）が記載されていると認められる。
　
「第１基板と第２基板に挟持された液晶層と、前記第２基板の前記液晶層側の面に形成された走査信号線、画像信号線、第１電極、第２電極及びアクティブ素子を備え、前記第１電極と前記第２電極は前記液晶層に対し実質的に基板面と平行な電界が印加できるように構成された液晶装置において、
　第１絶縁膜は、走査信号線、画像信号線及びアクティブ素子を所定の厚さで覆うことによりそれらの段差を平坦化し、その上に形成される第２電極を鏡面状態にし、
　前記第２電極は前記第１絶縁膜を介して液晶装置の表示エリアの概ね全域に形成され、かつ開口部を有し、
　前記第１電極は前記第２電極上に第２絶縁膜を介して各画素内に所定の線幅を有する線状で形成され、
　前記第１電極と前記アクティブ素子とは、第２電極の開口部を通り、第１絶縁膜及び第２絶縁膜に設けられたコンタクトホールを介して接続され、
　前記第１電極は画素電極であり、前記第２電極は共通電極である、
液晶装置。」
　
　
３　対比
　本願発明と引用発明を対比する。
　
（１）引用発明の「第１電極」、「第２電極」、「アクティブ素子」及び「液晶装置」は、それぞれ、本願発明の「画素電極」、「共通電極」、「スイッチング素子」及び「液晶装置」に相当する。
　
（２）引用発明の「第１電極」は、「前記アクティブ素子と」「・・・コンタクトホールを介して接続され」ているから、本願発明の「スイッチング素子の接続された」との事項を備える。
　
（３）本願発明の「液晶装置」は、「・・・第１電極、第２電極・・・を備え」、「前記第１電極は前記第２電極上に第２絶縁膜を介して・・・形成され」るから、上記（１）及び（２）に照らせば、本願発明の「液晶装置」は、本願発明の「共通電極と、スイッチング素子に接続された画素電極と、前記共通電極と前記画素電極との間に設けた絶縁膜を有し」との事項を備える。
　
（４）引用発明の「第２電極」は、「液晶装置の表示エリアの概ね全域に形成され」るものであり、引用発明の「第１電極」と前記「第２電極」とは該表示エリアにおいて平面的に重なっているといえるから、
　ア　引用発明の「第２電極」は、本願発明の「前記有効表示領域と略同一の大きさに形成され」との事項を備えるとともに、
　イ　引用発明の「液晶装置」は、本願発明の「前記画素電極と前記共通電極とが有効表示領域で平面的に重なっており」との事項を備える。
　
（５）引用発明の「液晶装置」は、「第１電極」と「第２電極」とが「前記液晶層に対し実質的に基板面と平行な電界が印加できるように構成された」ものであり、第１電極の上側に生じる電界、及び、第２電極と第１電極との間で生じる電界によって液晶の配向を制御するものといえるから、引用発明の「液晶装置」は、本願発明の「前記画素電極の上側に生じる電界、及び前記共通電極と前記画素電極との間で生じる電界によって液晶の配向を制御する」との事項を備える。
　
（６）引用発明の「第１絶縁膜」は、「走査信号線、画像信号線及びアクティブ素子を所定の厚さで覆うことによりそれらの段差を平坦化」するものであるから、
　ア　引用発明の「第１絶縁膜」は、本願発明の「前記スイッチング素子の上側に設けられた平坦化膜」に相当するとともに、
　イ　引用発明の「液晶装置」は、本願発明の「前記スイッチング素子の上側に設けられた平坦化膜を備え」との事項を備える。
　
（７）引用発明の「液晶装置」は、「第１絶縁膜」が「その上に形成される第２電極を鏡面状態にし」、該「第２電極」が「前記第１絶縁膜を介して液晶装置の表示エリアの概ね全域に形成され」、「第１電極」が「前記第２電極上に第２絶縁膜を介して各画素内に所定の線幅を有する線状で形成され」るものであるから、
　ア　引用発明の「第２絶縁膜」は、本願発明の「前記共通電極と前記画素電極との間に設けた絶縁膜」に相当するとともに、
　イ　引用発明の「液晶装置」は、本願発明の「前記平坦化膜の上側に前記共通電極が、前記共通電極の上側に前記絶縁膜が、及び前記絶縁膜の上側に前記画素電極が設けられ」との事項を備える。
　
（８）引用発明の「液晶装置」は、「第１電極」と「アクティブ素子」とが、「第２電極の開口部を通り、第１絶縁膜及び第２絶縁膜に設けられたコンタクトホールを介して接続され」るものであるから、
　ア　引用発明の「コンタクトホール」は、本願発明の「前記画素電極を前記スイッチング素子に電気的に接続するコンタクトホール」に相当するとともに、
　イ　引用発明の「液晶装置」は、本願発明の「前記画素電極を前記スイッチング素子に電気的に接続するコンタクトホールが前記平坦化膜に設けられ」との事項を備える。
　
（９）引用発明の「コンタクトホール」が設けられた「第１絶縁膜」は、「走査信号線、画像信号線及びアクティブ素子を所定の厚さで覆うことによりそれらの段差を平坦化」するものであって、該「コンタクトホール」以外の表示エリアではその表面が平坦であるといえるから、引用発明の「第１絶縁膜」は、本願発明の「前記コンタクトホール以外の前記有効表示領域では、その表面が平坦に形成され」との事項を備える。
　
（１０）引用発明の「第２電極」は、「アクティブ素子」等の段差を平坦化する「第１絶縁膜」の上に「鏡面状態」で形成され、「液晶装置の表示エリアの概ね全域に形成され」、かつ、「コンタクトホール」が「通」る「開口部」を有するものであり、該「開口部」以外は「第１絶縁膜」の略一面に亘って平坦に形成されているものであるといえるから、引用発明の「第２電極」は、本願発明の「前記コンタクトホールに対応する位置に開口を有し、前記有効表示領域では、前記共通電極のみで電気的に接続され、前記開口以外は前記平坦膜の略一面に亘って平坦に形成され」との事項を備える。
　
（１１）引用発明の「第１電極」は、「第２電極上に第２絶縁膜を介して各画素内に所定の線幅を有する線状で形成され」るものであり、該「第２電極」は、「コンタクトホール」が「通」る「開口部」以外において平坦に形成されているものといえ（上記（１０）参照。）、該「第１電極」は前記「第２絶縁膜」を介して「第２電極」の上側に平坦に形成されたものといえるから、引用発明の「第１電極」は、本願発明の「前記開口以外は前記絶縁膜を介して前記共通電極の上側に平坦に形成され」との事項と、「前記絶縁膜を介して前記共通電極の上側に平坦に形成され」との点で一致する。
　
（１２）引用発明の「液晶装置」は、「第１基板と第２基板に挟持された液晶層と、前記第２基板の前記液晶層側の面に形成された・・・第１電極、第２電極及びアクティブ素子を備え、前記第１電極と前記第２電極は前記液晶層に対し実質的に基板面と平行な電界が印加できるように構成された」ものであるから、
　ア　引用発明の「第１基板」は、本願発明の「前記画素電極及び前記共通電極と前記液晶を挟んで対向する対向基板」に相当するとともに、
　イ　引用発明の「液晶装置」は、本願発明の「前記画素電極及び前記共通電極と前記液晶を挟んで対向する対向基板を有し」との事項を備える。
　
　したがって、本願発明と引用発明とは、　  
「共通電極と、スイッチング素子に接続された画素電極と、前記共通電極と前記画素電極との間に設けた絶縁膜を有し、
　前記画素電極と前記共通電極とが有効表示領域で平面的に重なっており、前記画素電極の上側に生じる電界、及び前記共通電極と前記画素電極との間で生じる電界によって液晶の配向を制御する液晶装置において、
　前記スイッチング素子の上側に設けられた平坦化膜を備え、
　前記平坦化膜の上側に前記共通電極が、前記共通電極の上側に前記絶縁膜が、及び前記絶縁膜の上側に前記画素電極が設けられ、
　前記画素電極を前記スイッチング素子に電気的に接続するコンタクトホールが前記平坦化膜に設けられ、
　前記平坦化膜は、前記コンタクトホール以外の前記有効表示領域では、その表面が平坦に形成され、
　前記共通電極は、前記有効表示領域と略同一の大きさに形成され、前記コンタクトホールに対応する位置に開口を有し、前記有効表示領域では、前記共通電極のみで電気的に接続され、前記開口以外は前記平坦膜の略一面に亘って平坦に形成され、
　前記画素電極は、前記絶縁膜を介して前記共通電極の上側に平坦に形成され、
　前記画素電極及び前記共通電極と前記液晶を挟んで対向する対向基板を有する液晶装置。」
である点で一致し、両者は次の点で相違する。　  
 　 
相違点
　本願発明は、画素電極が、共通電極のコンタクトホールに対応する位置の開口以外は、共通電極の上側に平坦に形成されており、かつ、対向基板が、前記コンタクトホールに対向する位置に遮光層を有するのに対し、引用発明は、画素電極が、共通電極のコンタクトホールに対応する位置で平坦に形成されていないか否か明らかでなく、また、対向基板のコンタクトホールに対向する位置に遮光層が設けられているのか否か明らかでない点。
　
　
４　判断
　上記相違点につき検討する。
　
　スイッチング素子と画素電極とを有する液晶表示装置において、該スイッチング素子と該画素電極とを接続するコンタクトホール付近では段差が大きく、液晶の配向が乱れやすいことは本願の優先日前に周知であり（必要なら、特開２００３−１４０１７２号公報（【００３３】）、特開２００５−３３８７６２号公報（【０００７】、【００４０】〜【００４２】、図４、図５）参照。）、また、同じくスイッチング素子と画素電極とを有する液晶表示装置において、対向基板上の、コンタクトホールと重なり合う位置に遮光部材を設けることも本願の優先日前に周知であるから（例えば、前記特開２００３−１４０１７２号公報（【００３３】）、前記特開２００５−３３８７６２号公報（【０００７】、【００４０】〜【００４２】、図４、図５）、特開２００５−３２１５０１号公報（【００３０】、図５）参照。）、引用発明の「液晶装置」において、「第１電極」を、「第２電極」の「開口部」以外で該「第２電極」の上側に平坦に形成されたものとなし、かつ、本願発明の「対向基板」に相当する「第１基板」上の、「コンタクトホール」に対応する位置に遮光部材を設けるようになして、上記相違点に係る本願発明の構成となすことは当業者が容易になし得ることである。
　
　そして、本願発明によってもたされる効果は、引用発明及び上記周知技術から当業者が予測し得る程度のものである。
　
　したがって、本願発明は、引用刊行物に記載された発明及び周知技術に基いて当業者が容易に発明をすることができたものである。
　
５　むすび
　以上のとおり、本願発明は、引用刊行物に記載された発明及び周知技術に基いて当業者が容易に発明をすることができたものであるから、特許法第２９条第２項の規定により特許を受けることができない。
　
　よって、結論のとおり審決する。